(57)【要約】      （修正有）【課題】簡単な構成で、バンパビームや可動部材の後方で起る乱流域の拡大を抑制し、車体に対する空気抵抗を低減させ、かつ冷却体に対する冷却性能を向上させる。【解決手段】フロントグリル２６、２８の開口２２、２４から流入した走行風ｆを被冷却体３４、３６まで導く冷風導入路３２と、冷風導入路３２の走行風量を調整する複数の可動フィン３８ａ、３８ｂとを有している。バンパビーム１０の後方領域１０ａは車体前後方向下流側に向かって先細り断面形状を有する。バンパビーム１０の上方領域に設けられた複数の第１の可動フィン３８ａと、バンパビーム１０の下方領域に設けられた複数の第２の可動フィン３８ｂとは、駆動機構４０によって互いに逆方向へ回動する。可動フィン３８ａ、３８ｂが全開位置から閉側位置へ回動するとき、可動フィン３８ａ、３８ｂの走行風下流側端が後方領域１０ａの表面に向かう方向に回動する。【選択図】図２
2015047875.tif 000002
【特許請求の範囲】
【請求項１】
車体前面に車幅方向に設けられたバンパビームと、該バンパビームの上方及び下方の車体前面に設けられた開口と、該開口から流入した走行風を車体内部に設けられた被冷却体まで導く冷風導入路と、該冷風導入路に導入された走行風の風量を調整可能な複数の可動部材とを有する車両の冷風導入構造であって、
前記バンパビームの後方領域は、車体後方に向かって先細り断面形状を有し、
前記複数の可動部材は、車幅方向に延設された回動軸を中心に回動可能に設けられ、前記バンパビームの上下両側領域で前記バンパビームの後方領域と車体前後方向で同一の領域に設けられ、
前記複数の可動部材のうち、前記バンパビームの上方領域に設けられた第１の可動部材と、前記バンパビームの下方領域に設けられた第２の可動部材とで、互いに逆方向へ回動させると共に、前記可動部材を全開位置から閉側位置へ回動させるとき、前記可動部材の走行風下流側端を前記バンパビームの後方領域の表面に向かう方向に回動させる駆動装置を備えていることを特徴とする車両の冷風導入構造。
【請求項２】
前記第１の可動部材及び前記第２の可動部材の開度が所定範囲のときに、前記第１の可動部材及び前記第２の可動部材が前記バンパビームの後方領域の表面に沿う方向に回動されるように構成されていることを特徴とする請求項１に記載の車両の冷風導入構造。
【請求項３】
前記駆動装置は、
前記第１の可動部材と前記第２の可動部材とを、バンパビームの車体前後方向軸線に対して傾き角が常に対称となるように駆動するものであることを特徴とする請求項１に記載の車両の冷風導入構造。
【請求項４】
前記バンパビームの後方領域が占める車体前後方向長さは、前記可動部材の前記回動軸と交差する方向の長さの１〜３倍であることを特徴とする請求項１〜３の何れか１項に記載の車両の冷風導入構造。
【発明の詳細な説明】
【技術分野】
【０００１】
本発明は、車体の前面に設けられたグリルから走行風を導入し、導入した走行風で車体内部に設けられたラジエータなどの冷却を行う車両の冷風導入構造に関する。
【背景技術】
【０００２】
一般に、車両には車体前部に設けられたバンパビームの後方にラジエータやエアコン用コンデンサが配置されている。そして、車両の走行中にバンパビームの上下両側に配置されたフロントグリルの開口から車体の内部に走行風を導入し、走行風でラジエータやエアコン用コンデンサを冷却している。
また、走行風の導入路に横軸心周りに搖動自在な複数の可動フィンを設け、この可動フィンで空気流入量を調整し、車両に揚力やダウンフォースを付与して、安定走行を確保するようにしたものがある（特許文献１）。
【０００３】
特許文献２には、車幅方向に配置されたバンパビームの上下両側に走行風を導入するフロントグリルを設け、エンジンルームに設けられたラジエータに走行風を送って冷却すると共に、走行風の導入路に開閉動作を行う可動部材を備えた構成が開示されている。
しかし、このような構成の場合、バンパビームや中途開度の可動部材で空気流の剥離が起りやすい。これによって、バンパビームや可動部材の後方で乱流域が拡大するので、空気抵抗が増加し、流速も遅くなって冷却性能が低下するという問題がある。
【０００４】
特許文献３には、バンパビームの後方領域を先細りの斜状壁とし、かつ該斜状壁の表面に突起を設けた構成が開示されている。かかる構成では、前記突起により前記斜状壁の表面に沿って流れる空気流に乱流を発生させることで、空気流が前記斜状壁の表面から剥離するのを防止するようにしている。これによって、バンパビームの後方へ空気流を効率良く送り、ラジエータやエアコン用コンデンサを効率良く冷却できるとされている。
【先行技術文献】
【特許文献】
【０００５】
【特許文献１】特開２００８−６８５５号公報
【特許文献２】特開２０１１−１０５２１９号公報
【特許文献３】特開２０１２−２５０５６７号公報
【発明の概要】
【発明が解決しようとする課題】
【０００６】
特許文献１や特許文献２に開示されているように、冷風導入路に風量を調整するための可動部材が設けられている場合、バンパビームや可動部材から空気流が剥離することで、これら部材の後方で乱流域が拡大する。特に、可動部材が中途開度のときに空気流の大きな剥離が発生する。これによって、ラジエータやエアコン用コンデンサに乱流となり減速した空気流が当たるため冷却性能が低下する。さらに、可動部材の配置によって車体に対する空気抵抗が増加するという問題もある。
【０００７】
なお、特許文献３に開示された構成は可動部材を設けていないため、バンパビームと共に可動部材を配置することで相乗的に生じる乱流域の拡大、及びこの現象によって生じる前記問題の解決策を示唆するものではない。
【０００８】
本発明は、前記の問題点に鑑みなされたものであり、簡単な構成で、バンパビームや可動部材の後方で起る乱流域の拡大を抑制し、車体に対する空気抵抗の増加を抑制すると共に、ラジエータやエアコン用コンデンサ等の被冷却体に対する冷却性能を向上させることを目的とする。
【課題を解決するための手段】
【０００９】
前記目的を達成するため、本発明は、車体前面に車幅方向に設けられたバンパビームと、該バンパビームの上方及び下方の車体前面に設けられた開口と、該開口から流入した走行風を車体内部に設けられた被冷却体まで導く冷風導入路と、該冷風導入路に導入された走行風の風量を調整可能な複数の可動部材とを有する車両の冷風導入構造に適用される。
【００１０】
本発明では、バンパビームの後方領域は、車体後方に向かって先細り断面形状を有している。これによって、走行風がバンパビームから剥離するのを抑制でき、バンパビームの後端に発生する乱流を抑制できる。好ましくは、バンパビームを先細りの翼型断面形状とすれば、走行風の剥離及び乱流の形成をさらに有効に抑制できる。
また、複数の可動部材は、車幅方向に延設された回動軸を中心に回動可能に設けられ、バンパビームの上下両側領域でバンパビームの後方領域と車体前後方向で同一の領域に設けられている。このように、バンパビームと可動部材とを配置することで、冷風導入路を流れる空気流に対し整流作用を付与できる。
【００１１】
また、本発明は、駆動装置により、複数の可動部材のうち、バンパビームの上方領域に設けられた第１の可動部材と、バンパビームの下方領域に設けられた第２の可動部材とで、互いに逆方向へ回動させると共に、可動部材を全開位置から閉側位置へ回動させるとき、可動部材の走行風下流側端をバンパビームの翼型断面形状の表面に向かう方向に回動させる。
【００１２】
これによって、可動部材の全開位置から閉側位置へ回動する動作の過程で、バンパビームの後方領域とバンパビームに隣接した可動部材との間に、走行風の下流側に向かって流路面積が同一又は漸減する流路を形成できる。そのため、かかる形状の流路においては、バンパビーム後方領域及び可動部材からの走行風の剥離を効果的に抑制できる。
そのため、バンパビーム及び可動部材の後方での乱流域の拡大を効果的に抑制できる。従って、冷風導入路での空気抵抗の増加を抑制でき、被冷却体に対する冷却性能の低下を防止できる。
【００１３】
本発明の一態様として、バンパビーム後方領域の表面形状と可動部材の傾き角との関係から、第１の可動部材及び第２の可動部材の開度が所定範囲、例えば２０〜５０％のときに、第１の可動部材及び第２の可動部材がバンパビーム後方領域の表面に沿う方向に回動されるように構成することができる。
これによって、第１の可動部材及び第２の可動部材の開度が所定範囲のとき、バンパビーム及び可動部材に対する走行風の剥離を有効に抑制でき、空気抵抗の増加を抑制しつつ、被冷却体に対する冷却性能の低下を防止できる。
【００１４】
本発明の一態様として、駆動装置によって、第１の可動部材と第２の可動部材とを、バンパビームの車体前後方向軸線に対して傾き角が常に対称となるように駆動させることができる。
このように駆動することで、第１の可動部材と第２の可動部材との同期制御が容易になると共に、バンパビームの車体前後方向軸線を中心として、バンパビームの上下で常に対称な流路を形成できる。従って、冷風導入路における走行風の整流効果を高めることができるので、空気抵抗の増加を抑制しつつ、被冷却体に対する冷却性能をさらに高めることができる。
【００１５】
本発明の一態様として、バンパビームの後方領域が占める車体前後方向長さを、可動部材の回動軸と交差する方向の長さの１〜３倍とするとよい。
かかる形状とすることで、バンパビーム後方領域と可動部材間を流れる走行風を安定させ、剥離抑止効果をさらに高めることができる。
【発明の効果】
【００１６】
本発明によれば、簡単な構成で、バンパビーム及び可動部材の後方で乱流域の拡大を抑制できるので、車体に対する空気抵抗を低減できると共に、被冷却体に対する冷却性能の低下を防止できる。
【図面の簡単な説明】
【００１７】
【図１】本発明を適用した車体前部構造を示す斜視図である。
【図２】本発明の一実施形態に係る冷風導入構造を示す側面図である。
【図３】前記冷風導入構造の可動フィンの駆動機構を示す正面図である。
【発明を実施するための形態】
【００１８】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００１９】
図１において、車体の前面中央部位に前方に突出したバンパビーム１０が車幅方向に設けられている。バンパビーム１０の上方領域及び下方領域に、本実施形態の冷風導入構造２０の一部を構成する走行風取入口２２及び２４が設けられ、これら走行風取入口２２及び２４の入口にフロントグリル２６及び２８が設けられている。また、走行風取入口２４の両側の車体前面に、上下方向に延在するバンパ１２及び１４が設けられている。
【００２０】
次に、図２により本実施形態の冷風導入構造２０の構成を説明する。図２において、車体前部の内部に、走行風取入口２２の上部境界を画成するフレーム３０、及び走行風取入口２４の下部境界を画成するフレーム３１が設けられている。フレーム３０及び３１によって冷風導入路３２が形成されている。冷風導入路３２の奥側領域に形成されたエンジンルームに、冷風導入路３２に面して、ラジエータ３４及びエアコン用コンデンサ３６等の被冷却体が設けられている。
【００２１】
バンパビーム１０の車体前後方向における後方領域１０ａは、車体前後方向の中心軸線ｉに対し上下形状が対称の翼型断面形状を有している。また、バンパビーム１０の上方領域に複数の第１の可動フィン３８ａが設けられ、バンパビーム１０の下方領域に複数の第２の可動フィン３８ｂが設けられている。これら可動フィン３８ａ及び３８ｂは、車体前後方向においてバンパビーム１０の後方領域１０ａと同一領域に配置されている。可動フィン３８ａ及び３８ｂは、車幅方向に延設された長尺の板状体で構成され、個々の可動フィンは同一形状を有している。可動フィン３８ａ及び３８ｂは、幅方向の中央に設けられた回動軸３９を中心に回動可能となるように構成されている。
【００２２】
次に、図３に基づいて、第１の可動フィン３８ａ及び第２の可動フィン３８ｂの具体的構成、及び第１の可動フィン３８ａ及び第２の可動フィン３８ｂを回動させる駆動機構４０の構成を説明する。図３において、支持バー４２を介して電動シリンダ４１が固定されている。電動シリンダ４１のピストンロッド４１ａにアーム４３が接続されている。アーム４３の中央部は一つの可動フィンの回動軸３９に結合されている。回動軸３９に対して同一高さで水平方向に止め板４４が設けられている。さらに、各可動フィンの間に上下方向に止め板４６が設けられている。
【００２３】
冷風導入路３２の上部領域に設けられた止め板４４及び４６は、夫々フレーム３０に固定され、冷風導入路３２の下部領域に設けられた止め板４４及び４６は、夫々フレーム３１に固定されている。なお、電動シリンダ４１は、第１の可動フィン３８ａ及び第２の可動フィン３８ｂに対して夫々１個ずつ設けられている。第１の可動フィン３８ａを駆動する電動シリンダ４１は、支持バー４２を介してバンパビーム１０に固定され、第２の可動フィン３８ｂを駆動する電動シリンダ４１は、支持バー４２を介してフレーム３１に固定されている。
【００２４】
回動軸３９がアーム４３と結合されていない他の可動フィンにおいては、回動軸３９に夫々短尺アーム４８の一端が結合されている。各短尺アーム４８の他端はアーム４３の他端とリンク棒５０によって結合されている。
これによって、複数の第１の可動フィン３８ａは互いに同期して回動し、常に同一の傾き角で回動する。同様に、複数の第２の可動フィン３８ｂも互いに同期して回動し、常に同一の傾き角で回動する。
【００２５】
また、第１の可動フィン３８ａと第２の可動フィン３８ｂとは、駆動機構４０を制御する制御装置（図示省略）によって、バンパビーム１０の中心軸線ｉに対して傾き角が常に対称な角度となるように動作する。例えば、第１の可動フィン３８ａと第２の可動フィン３８ｂとは、同時に全閉位置となるように回動すると共に、同時に全開位置となるように回動する。
また、後方領域１０ａの車体前後方向長さＬは、第１の可動フィン３８ａ及び第２の可動フィン３８ｂの幅方向長さｈの１〜３倍に設定されている。
【００２６】
かかる構成において、第１の可動フィン３８ａ及び第２の可動フィン３８ｂが止め板４４に係止したとき、冷風導入路３２は全開状態となる。全開状態から２個の電動シリンダ４１が駆動し、ピストンロッド４１ａが突出すると、９０°回転し、止め板４６に係止し、この状態で冷風導入路３２は全閉状態となる。
従って、第１の可動フィン３８ａ及び第２の可動フィン３８ｂを全開位置から全閉位置へ向けて回動させるとき、第１の可動フィン３８ａ及び第２の可動フィン３８ｂの走行風下流側端５２は、翼型断面形状を有する後方領域１０ａの表面に向かう方向へ回動する。
【００２７】
後方領域１０ａの表面形状から、第１の可動フィン３８ａ及び第２の可動フィン３８ｂは、開度が２０〜５０％のときに、後方領域１０ａの表面に最も沿う位置、即ち、後方領域１０ａとほぼ平行に近い傾き角となる。
【００２８】
車両の装甲中、走行風取入口２２及び２４から走行風ｆが冷風導入路３２に導入され、走行風ｆによってラジエータ３４やエアコン用コンデンサ３６が冷却される。これら被冷却体の冷却性能を増加させるとき、第１の可動フィン３８ａ及び第２の可動フィン３８ｂの開度を増加させ、冷却性能を低下させるとき、第１の可動フィン３８ａ及び第２の可動フィン３８ｂの開度を減少させる。
【００２９】
走行風ｆの温度や車速にもよるが、例えば、ラジエータ３４を流れる冷却水の水温が７０℃のとき、可動フィン３８ａ及び３８ｂの開度を５０％とする。ラジエータ３４を流れる冷却水の水温が９０°のとき、第１の可動フィン３８ａ及び第２の可動フィン３８ｂの開度を全開とする。車載エアコンを稼働させた場合は、さらに第１の可動フィン３８ａ及び第２の可動フィン３８ｂの開度を増加させる。
【００３０】
本実施形態によれば、バンパビーム１０の後方領域１０ａは、走行風ｆの流れ方向下流側に向かって先細りの翼型断面形状を有しているため、走行風ｆが後方領域１０ａから剥離するのを有効に抑制でき、これによって、バンパビーム１０の後端に発生する乱流域ｔの拡大を抑制できる。
また、複数の第１の可動フィン３８ａ又は複数の第２の可動フィン３８ｂも常に同一の傾き角で回動するので、これらの間で走行風ｆの剥離を抑制できるので、各可動フィン後端での乱流域ｔの拡大を抑制できる。
【００３１】
また、第１の可動フィン３８ａ及び第２の可動フィン３８ｂは、バンパビーム１０の上下両側領域で後方領域１０ａと車体前後方向で同一の領域に設けられているので、冷風導入路３２を流れる走行風ｆに対し整流作用を付与できる。
【００３２】
また、複数の第１の可動フィン３８ａ及び複数の第２の可動フィン３８ｂは、駆動機構４０によって互いに逆方向へ回動するように構成され、全閉位置から全開位置に回動する過程で、後方領域１０ａと可動フィン３８ａ、可動フィン３８ｂとの間で、走行風ｆの下流側に向かって流路面積が同一又は漸減する流路を形成できる。かかる流路の形成によって、後方領域１０ａ及び可動フィン間における走行風ｆの剥離を効果的に抑制できる。
【００３３】
そのため、バンパビーム１０及び可動フィン３８ａ、３８ｂの後方で乱流域の拡大を効果的に抑制でき、従って、冷風導入路３２での空気抵抗の増加を抑制し、空気流の流速低下を防止できるので、ラジエータ３４やエアコン用コンデンサ３６等の被冷却体に対する冷却性能の低下を防止できる。
【００３４】
また、第１の可動フィン３８ａ及び第２の可動フィン３８ｂは、開度が２０〜５０％のときに、バンパビーム１０の後方領域１０ａの表面に最も沿う位置、即ち、後方領域１０ａの表面とほぼ平行に近い傾き角となるように回動するので、後方領域１０ａ及び可動フィン３８ａ、３８ｂにする走行風の剥離を有効に抑制できる。そのため、空気抵抗の増加を抑制しつつ、被冷却体に対する冷却性能の低下を防止できる。
【００３５】
また、駆動機構４０により、第１の可動フィン３８ａと第２の可動フィン３８ｂとを、バンパビーム１０の軸線ｉに対して傾き角が常に対称となるように駆動させているので、第１の可動フィン３８ａと第２の可動フィン３８ｂとの同期制御が容易になる。
また、後方領域１０ａが中心軸線ｉに対して上下形状が対称の翼型断面形状を有しているため、バンパビーム１０の上下で常に対称な流路を形成できる。従って、冷風導入路３２における走行風ｆの整流効果をさらに高めることができる。これによって、被冷却体に対する冷却性能をさらに高めることができる。
【００３６】
さらに、バンパビーム１０の後方領域１０ａの車体前後方向長さＬは、第１の可動フィン３８ａ及び第２の可動フィン３８ｂの幅方向長さｈの１〜３倍に設定されているので、後方領域１０ａと可動フィン３８ａ、３８ｂとの間を流れる走行風ｆを安定させ、剥離抑止効果をさらに高めることができる。
【産業上の利用可能性】
【００３７】
本発明によれば、簡単な構成で、走行風がバンパビームや可動部材から剥離するのを抑制でき、ラジエータやエアコン用コンデンサ等の被冷却体に対する冷却性能を向上させることができる。
【符号の説明】
【００３８】
１０                                    バンパビーム
１０ａ                                後方領域
１２、１４                              バンパ
２０                                    冷風導入構造
２２、２４                              走行風取入口
２６、２８                              フロントグリル
３０、３１                              フレーム
３２                                    冷風導入路
３４                                    ラジエータ
３６                                    エアコン用コンデンサ
３８ａ                                  第１の可動フィン
３８ｂ                                  第２の可動フィン
３９                                    回動軸
４０                                    駆動機構
４１                                    電動シリンダ
４１ａ                                ピストンロッド
４２                                    支持バー
４３                                    アーム
４４、４６                              止め板
４８                                    短尺アーム
５０                                    リンク棒
５２                                    走行風下流側端
ｆ                                      走行風
ｉ                                      中心軸線
ｔ                                      乱流域
【図１】
2015047875.tif 000003
【図２】
2015047875.tif 000004
【図３】
2015047875.tif 000005